(57)【要約】【課題】  本発明は噴霧されたミストに触れたり、吸引しても安全で、周囲の空気を殺菌したり、果樹園、農作物の殺菌をしたり、温度を低下させ、かつ粉塵の飛散を効率よく阻止することができるミスト殺菌装置を得るにある。【解決手段】水が収納されるタンクと、このタンク内に収納された水を人体に悪影響を与えない状態で殺菌できる銅イオン、亜鉛イオンの両方あるいは一方の金属イオンを溶出させることができる、該タンクに設けられた金属イオンの溶出装置と、前記タンク内の金属イオンが溶出された水を霧状に噴霧する噴霧ノズルを備えた噴霧装置とでミスト殺菌装置を構成している。  【選択図】  図３
2012120738.tif 000002
【特許請求の範囲】
【請求項１】
水が収納されるタンクと、このタンク内に収納された水を人体に悪影響を与えない状態で殺菌できる銅イオン、亜鉛イオンの両方あるいは一方の金属イオンを溶出させることができる、該タンクに設けられた金属イオンの溶出装置と、前記タンク内の金属イオンが溶出された水を霧状に噴霧する噴霧ノズルを備えた噴霧装置とからなることを特徴とするミスト殺菌装置。
【請求項２】
金属イオンの溶出装置は銅、亜鉛、真鍮のいずれか、あるいは銅、亜鉛の合金から形成される極細繊維で構成されていることを特徴とする請求項１記載のミスト殺菌装置。
【請求項３】
金属イオンの溶出装置は銅、亜鉛、真鍮のいずれか、あるいはこれら銅、亜鉛の合金で形成された一対以上の電極を備えた電気分解で金属イオンを溶出させるものであることを特徴とする請求項１記載のミスト殺菌装置。
【請求項４】
噴霧装置は噴霧ノズルから噴霧されるミストを拡散させるファンが設けられていることを特徴とする請求項１記載のミスト殺菌装置。
【発明の詳細な説明】
【技術分野】
【０００１】
本発明は鳥、牛、豚等の飼育舎内の殺菌のために設置されたり、果樹園、農作物の殺菌のために設置されたり、病院や工場、駅構内や建物のエントランスや屋内の等の、殺菌や暑さ対策および粉塵の飛散を効率よく阻止するために設置されるミスト殺菌装置に関する。
【背景技術】
【０００２】
最近、駅や建物のエントランスなどの暑さ対策として水を噴霧することが考えられ行われている。
しかしながら、この噴霧に使用されている水は水道水を直接使用したり、タンクに収納して使用している。
【０００３】
このため、噴霧による温度の低下しか得られなかったり、タンクを用いるものにおいてはタンク内の水道水を十分に管理しなければ雑菌が繁殖して、雑菌を噴霧してしまうという欠点があった。
【０００４】
また、病院内に殺菌消毒剤を噴霧するものも考えられているが、患者、医師、看護師等がいるところで使用することができないという欠点があった。
【先行技術文献】
【特許文献】
【０００５】
【特許文献１】特開平５−１７６９７７号公報
【発明の概要】
【発明が解決しようとする課題】
【０００６】
金、銀、銅、亜鉛などの金属には、「微量金属作用」と呼ばれる不思議な、微量で効果の高い殺菌力があることが知られている。
【０００７】
日本の水道法では、人間に対する安全基準として、水道水の中に銅イオン、亜鉛イオンは１，０００ｐｐｂまで含有できるという許可基準がある。細菌類は２００ｐｐｂまでの濃度で殺菌されることが知られている。本ミスト殺菌装置は人のいる場所で用いるときは３００ｐｐｂまでの濃度で使用する。また、果樹園、農作物の殺菌のときは１，０００ｐｐｍまでの濃度で使用する。このため、本ミスト殺菌装置より噴霧するミスト中の銅、亜鉛イオン水または銅イオン水は安全で安心して使用することができる。本発明はこのようにして、鳥、牛、豚等の飼育舎内の殺菌、粉塵対策と飼育舎内の夏場の酷暑対策に、また果樹園、農作物の殺菌や、病院の院内感染防止、工場、駅構内や建物のエントランスおよび室内等の殺菌と暑さ対策および粉塵の飛散を効率よく阻止するために使用する、ミスト殺菌装置を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明は水が収納されるタンクと、このタンク内に収納された水を人体に悪影響を与えないで、しかも細菌類を殺菌できる濃度の状態で銅イオン、亜鉛イオンの両方あるいは一方の金属イオンを溶出させることができる、該タンクに設けられた金属イオンの溶出装置と、前記タンク内の金属イオンが溶出された水を霧状に噴霧する噴霧ノズルを備えた噴霧装置とでミスト殺菌装置を構成している。
【発明の効果】
【００１０】
以上の説明から明らかなように、本発明にあっては次に列挙する効果が得られる。
（１）請求項１により、噴霧装置の噴霧ノズルより噴霧されるミストは、人体に悪影響を与えないで、しかも細菌類を殺菌できる濃度の状態で銅イオン、亜鉛イオンの両方あるいは一方の金属イオンを溶出させた金属イオン水を使用している。
銅、亜鉛、鉄、カルシウムなどの、生体に必要な必須ミネラルは、生体内に過剰に吸収されても、必要以上のものは生体外に排出する生理機能が人間はじめ動物にあるので、動物の体内に取り入れられても安全である。
金や銀にも銅、亜鉛のような殺菌作用があるが、必須ミネラルではないので、吸引等で摂取し続けた場合、鉛、水銀のように生体内に蓄積されて公害病を引き起こす可能性があるので使用できない。
銅、亜鉛イオンを利用する本装置は鳥、牛、豚等の飼育舎内、果樹園、農作物の殺菌や、病院の院内感染防止、工場、駅構内や建物のエントランスおよび室内等の空気の殺菌や暑さ対策および粉塵の飛散を効率よく阻止するために、安全に使用できる。
（２）前記（１）により、タンクに銅イオン、亜鉛イオンの両方あるいは一方の金属イオンの溶出装置を設けているので、装置全体を小型コンパクトにできる。
（３）前記（１）により、噴霧されたミストは人が触れても、吸引しても安全な殺菌ができる濃度の銅イオン、亜鉛イオンの両方あるいは一方の金属イオンが低濃度含有なので、安全で、安心して使用することができる装置にできる。
（４）請求項２も前記（１）〜（３）と同様な効果が得られるとともに、銅イオン、亜鉛イオンの金属イオンの溶出装置が簡単で、安価に製造することができる。
（５）請求項３も前記（１）〜（３）と同様な効果が得られる。
（６）請求項４も前記（１）〜（３）と同様な効果が得られるとともに、ファンによって噴霧ノズルより噴霧されるミストを広範囲に飛散させることができる。
【図面の簡単な説明】
【００１１】
【図１】本発明を実施するための第１の形態の側面図。
【図２】本発明を実施するための第１の形態の正面図。
【図３】図１の３−３線に沿う断面図。
【図４】本発明を実施するための第１の形態の金属イオン溶出装置の説明図。
【図５】本発明を実施するための第２の形態の側面図。
【図６】本発明を実施するための第２の形態の正面図。
【図７】図５の７−７線に沿う概略断面説明図。
【図８】本発明を実施するための第３の形態の側面図。
【図９】本発明を実施するための第３の形態の正面図。
【図１０】図８の１０−１０線に沿う概略断面説明図。
【図１１】本発明を実施するための第４の形態の側面図。
【図１２】本発明を実施するための第４の形態の正面図。
【図１３】図１１の１３−１３線に沿う概略断面説明図。
【発明を実施するための形態】
【００１２】
以下、図面に示す本発明を実施するための形態により、本発明を詳細に説明する。
【００１３】
図１ないし図４に示す本発明を実施するための第１の形態において、１は病院内、工場、室内等に従来の空気清浄機と同様に設置して使用することができる本発明のミスト殺菌装置である。このミスト殺菌装置１には水道水等の水２が収納され、キャップ３が設けられた注入口４を有するタンク５と、このタンク５内に収納された水２に、殺菌できる金属イオンを溶出させることができる、該タンク５に設けられた銅イオン、亜鉛イオンの両方あるいは一方の金属イオンの溶出装置６と、前記タンク５内の金属イオンが溶出された水を霧状に噴霧する噴霧装置７と、前記タンク５内の水の量が一定値以下または一定値以上になった場合に知らせる水量検出センサー８とで構成されている。
【００１４】
前記金属イオンの溶出装置６には前記タンク５の上部の開閉蓋９が設けられた開口部１０より、内部に投入された絶縁材製の長方体枠形状の保持具１１と、この保持具１１に所定間隔で、該保持具１１より外方へ突出しないように取付けられた銅、亜鉛、真鍮のいずれか、あるいは銅、亜鉛の合金で形成された少なくとも一対以上、本発明の実施の形態では５対の電極１２、１２、１２、１２、１２がある。
【００１５】
前記タンク５外に位置する直流電流を供給する電源がある。この電源は正電流と負電流を任意に切り替えて供給することができる切り替え機構１３および電流量調整機構（図示せず）を備えた商用電源に接続される直流電流供給装置１４および前記５対の電極１２，１２，１２，１２，１２、への直流電流をそれぞれＯＮ，ＯＦＦ出来るように介装されたスイッチ１５，１５，１５，１５，１５とで構成されている。この電源を用いれば、５対の電極１２、１２、１２、１２、１２の、１２ａ、１２ａ、１２ａ、１２ａ、１２ａに正電流が流れるときは、他方の１２ｂ、１２ｂ、１２ｂ、１２ｂ、１２ｂには負電流が流れるようにすることが出来る。逆に１２ｂ、１２ｂ、１２ｂ、１２ｂ、１２ｂに正電流が流れるときは、他方の１２ａ、１２ａ、１２ａ、１２ａ、１２ａに負電流が流れるようにすることが出来る。このスイッチング作用によって、各電極に付着して電解効率を下げる塩化物を無くし、各電極表面には常に付着物がない状態を維持することが出来るので、一定濃度の銅イオンの溶出が保持できる。
【００１６】
前記噴霧装置７は前記タンク５の上部に取付けられたファン１６と、このファン１６の前枠１７に取付けられた複数個、本実施の形態では６個の１００μｍ以下の霧状のミストを噴射する噴射ノズル１８、１８、１８、１８、１８、１８と、この噴射ノズル１８、１８、１８、１８、１８、１８へ金属イオンが溶出された、前記タンク５内の水を供給するパイプ１９にポンプ２０が介装された水供給装置２１とで構成されている。
【００１７】
上記構成のミスト殺菌装置１はタンク５内に水道水２を入れ、金属イオンの溶出装置６のスイッチ１５、１５、１５、１５、１５をＯＮ状態にして、例えば６ボルト〜１２ボルトで１０ミリアンペア〜２アンペアの低電流を流すと、５対の電極１２、１２、１２、１２、１２の正電流が流れる電極より、１ｐｐｍ以下の濃度の銅イオン、亜鉛イオンのいずれかが溶出される。
【００１８】
この時、スイッチ１５、１５、１５、１５、１５のうちの全部および一部をＯＮ状態にするとともに電流量を調整することにより、タンク５内の水２に溶出される金属イオンの量や質を調整することができる。
【００１９】
タンク５内の水２に銅イオン、亜鉛イオンの金属イオンが溶出したところで、噴霧装置７のポンプ２０とファン１６を駆動させることにより、噴射ノズル１８、１８、１８、１８、１８、１８より霧状のミストを噴射させる。
【００２０】
鳥、牛、豚等の飼育舎内や病院内で、この銅イオン、亜鉛イオンを含む霧状のミストを定常的に噴射させ殺菌することで、鳥インフルエンザ、家畜の口蹄疫、人間のＭＲＳＡ（ウイルス感染）や院内感染など、対策の難しい病気の予防にも資する。また、工場、駅構内、建物のエントランスなどでは室内等の殺菌や暑さ対策および粉塵の飛散を効率よく阻止する事が出来る。この場合の水滴の粒径は３００μｍ以下の銅イオン、亜鉛イオンを含む霧状のミストを噴射させる。
【００２１】
また果樹園、農作物の殺菌および暑さ対策のためには、銅イオン、亜鉛イオンを含む１０００μｍ以下の霧状のミストを噴射させるとともに、ファン１６によって広範囲に銅イオン、亜鉛イオンを含むミストを飛散させることができ、さらに、銅イオン、亜鉛イオンを含むミストが飛散した場所の、温度低下を図ることができるとともに、粉塵の飛散を防止し、銅イオン、亜鉛イオンで空気の殺菌を図ることができる。
【００２２】
なお、少なくとも一対以上の電極１２、１２の材質を銅に設定することにより、銅イオンだけを溶出できるものにでき、亜鉛に設定することにより、亜鉛イオンだけを溶出できるものにでき、真鍮あるいは銅、亜鉛の合金で形成されたものに設定することにより、銅イオンと亜鉛イオンを溶出できるものにできる。
【００２３】
［発明を実施するための異なる形態］
次に、図５ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図５ないし図７に示す本発明を実施するための第２の形態において、前記本発明を実施するための第１の形態と主に異なる点は、タンク５を水道水２が自動供給できるように水道管２２を接続するとともに、タンク５内にフロート２３を用いた水量調整装置２４を配置したため、このような設置型のミスト殺菌装置１Ａ  の場合も本発明を実施するための第１の形態と同様な作用効果が得られる。
【００２５】
図８ないし図１０に示す本発明を実施するための第３の形態において、前記本発明を実施するための第２の形態と主に異なる点は、鳥、牛、豚の飼育舎、病院、工場、駅構内や建物のエントランス等に配置したパイプ１９Ａに所定間隔で、並列状態で複数個の噴射ノズル１８を配置した噴霧装置７Ａを用いた点で、このような噴霧装置７Ａを用いて構成したミスト殺菌装置１Ｂにしても、前記本発明を実施するための第２の形態と同様な作用効果が得られるとともに、、鳥インフルエンザ、牛、豚の口蹄疫などの被害の大きい伝染病の予防、病院でのクリプトストリジウムやＭＲＳＡなどの院内感染防止、工場、駅構内や建物のエントランスおよび室内等の殺菌と暑さ対策および粉塵の飛散を効率よく阻止するために使用することができる。
【００２６】
図１１ないし図１３に示す本発明を実施するための第４の形態において、前記本発明を実施するための第１の形態と主に異なる点は、タンク５内に銅、亜鉛、のいずれかで形成した極細繊維あるいは、これら銅、亜鉛の合金で、形成した極細繊維を金属イオン溶出材２５として投入する金属イオンの溶出装置６Ａを用いた点で、このような金属イオンの溶出装置６Ａを用いて構成したミスト殺菌装置１Ｃにしても、前記本発明を実施するための第１の形態と同様な作用効果が得られる。
【００２７】
なお、前記第２の実施の形態や第３の形態でも金属イオンの溶出材２５を用いた金属イオンの溶出装置６Ａを使用しても、同様な作用効果が得られる。
また、殺菌力をもつ銅、亜鉛をイオン水にすることで汎用性を高め、１／１億（１０ｐｐｂ）の微量単位のイオン濃度をコントロールすることで生物に被害がなく、病原菌やウイルスなどを不活性にさせる状態で使用することも可能である。
【産業上の利用可能性】
【００２８】
本発明は人が吸引したり、人に触れても安全に周囲を殺菌したり、温度の低下や粉塵の飛散を防止することができるミスト殺菌装置を製造する産業で利用される。
【符号の説明】
【００２９】
１、１Ａ、１Ｂ、１Ｃ：ミスト殺菌装置、
２：水、            ３：キャップ、
４：注入口、          ５：タンク、  
６、６Ａ：金属イオンの溶出装置、
７、７Ａ：噴霧装置、    ８：水量検出センサー、
９：開閉蓋、        １０：開口部、
１１：保持具、      １２：電極、
１２ａ：一方の電極、    １２ｂ：他方の電極、
１３：切り替え機構、    １４：直流電流供給装置、
１５：スイッチ、      １６：ファン、  
１７：前枠、        １８：噴射ノズル、
１９、１９Ａ：パイプ、    ２０：ポンプ、
２１：水供給装置、      ２２：水道管、
２３：フロート、      ２４：水量調整装置、
２５：金属イオン溶出材。
【図１】
2012120738.tif 000003
【図２】
2012120738.tif 000004
【図３】
2012120738.tif 000005
【図４】
2012120738.tif 000006
【図５】
2012120738.tif 000007
【図６】
2012120738.tif 000008
【図７】
2012120738.tif 000009
【図８】
2012120738.tif 000010
【図９】
2012120738.tif 000011
【図１０】
2012120738.tif 000012
【図１１】
2012120738.tif 000013
【図１２】
2012120738.tif 000014
【図１３】
2012120738.tif 000015